(57)【要約】【課題】パーソナルコンピュータを使える人が必ずしもホームページ編集ソフトを使えるとは限らず、また、ファイル転送手段を使いこなせない人もいる。このような人がホームページを編集する場合、ホームページ編集ソフトの使い方とファイル転送の知識を習得する必要があった。【解決手段】編集対象となるホームページのＨＴＭＬ文書を編集単位に分割し、分割した編集単位毎に修正用画面へのリンク情報と識別情報を付加してＨＴＭＬ文書を再構成し、Ｗｅｂブラウザに表示することで、マウスのクリックにより容易に修正該当部分を指定して、編集対象となるホームページを直接編集する。【選択図】        図１
2004265266.tif 000002
【特許請求の範囲】
【請求項１】
Ｗｅｂブラウザから送信されたホームページ編集要求を検出するホームページ編集要求検出手段と、ホームページ表示情報を蓄積しているホームページ表示情報蓄積手段と、前記ホームページ表示情報蓄積手段から編集対象となるＨＴＭＬ文書を読み出すＨＴＭＬ文書読出し手段と、前記ＨＴＭＬ文書読出し手段に読み出されたＨＴＭＬ文書を編集可能な単位に切出す編集単位切出し手段と、前記編集単位切出し手段により切り出された編集単位毎に修正画面へのリンク情報と識別情報を付加する情報付加手段を有し、前記ホームページ編集要求により、前記編集単位と識別情報を対応させる編集単位識別情報対応表を生成し、前記ＨＴＭＬ文書内の編集単位毎に、対応する所定の位置に修正画面へのリンク情報と前記識別情報を埋め込み、編集用ホームページ表示情報保存手段に保存後、前記Ｗｅｂブラウザに編集用ホームページとして表示することを特徴とするホームページ編集方式
【請求項２】
請求項１に記載のホームページ編集方式において、ホームページの編集者がＷｅｂブラウザに表示されている編集用ホームページの編集単位の一つを指定したとき、前記Ｗｅｂブラウザから送信された識別情報を受信する識別情報受信手段と、前記受信した識別情報を記憶する識別情報記憶手段と、前記受信した識別情報に対応する編集単位を編集単位識別情報対応表から抽出する編集単位抽出手段と、前記抽出された編集単位の情報を取り込み、修正用画面として構成する修正画面構成手段を有し、前記Ｗｅｂブラウザに修正情報を含む修正用画面として表示することを特徴とし、ホームページの編集者がＷｅｂブラウザに表示されている修正情報を修正したとき、前記Ｗｅｂブラウザから送信される修正情報を受信する修正情報受信手段と、受信した修正情報を、前記識別情報記憶手段に記憶されている識別情報に対応する編集単位として書き込み、さらに、前記ホームページ表示情報蓄積手段に蓄積されている該当する編集単位として書き込み、さらに、編集用ホームページ表示情報保存手段に保存されている該当する編集単位として書き込む修正情報書込み手段を有することを特徴とするホームページ編集方式
【発明の詳細な説明】
【０００１】
【発明の属する技術分野】
本発明は、ホームページの編集方法に係り、詳しくは、Ｗｅｂサーバに蓄積されているホームページ情報を容易に編集することを可能にする方法に関するものである。
【０００２】
【従来の技術】
図５は、ホームページを編集する際、従来から一般的に実施されている方法を示したものである。図において、１はホームページの編集を行うことができるホームページ編集ソフト、２はパーソナルコンピュータのディスクに蓄積されているホームページ表示情報蓄積手段、３は編集を完了したホームページ表示情報を、ホームページ表示情報蓄積手段２から取得して、Ｗｅｂサーバにある４のホームページ表示情報蓄積手段に転送するファイル転送手段、５はホームページ表示情報蓄積手段４に蓄積されているホームページを表示するＷｅｂブラウザである。
【０００３】
次に、従来技術によるホームページの編集方法について説明する。最初に、ホームページ編集者は、ホームページ編集ソフト１を起動する。続いて、ホームページ編集者は、編集対象となるホームページをパーソナルコンピュータのホームページ表示情報蓄積手段２から探し、ホームページ編集ソフト１に読み込ませる。そして、ホームページの編集を行う。
【０００４】
ホームページの編集完了後、ホームページ編集者は、パーソナルコンピュータのホームページ表示情報蓄積手段２に編集を完了したホームページを書き込む。書込み完了後、ホームページ編集者は、ファイル転送手段３を用いて、編集したホームページのファイルを、パーソナルコンピュータのホームページ表示情報蓄積手段２からＷｅｂサーバのホームページ表示情報蓄積手段４に転送する。その後、確認のため、Ｗｅｂブラウザ５を用いて、Ｗｅｂサーバのホームページ表示情報蓄積手段４に転送されたホームページを表示する。
【０００５】
【発明が解決しようとする課題】
上記したような従来のホームページ編集方法では、ホームページ編集ソフトを用いて編集を行い、編集の完了したファイルをファイル転送手段によりＷｅｂサーバに転送していた。
【０００６】
しかしながら、パーソナルコンピュータを使える人が必ずしもホームページ編集ソフトを使えるとは限らず、また、ファイル転送手段を使いこなせない人もいるため、ホームページを編集するには、ホームページ編集ソフトとファイル転送の知識が必要という問題があった。
【０００７】
本発明は、上記のような課題を解消するためになされたもので、ホームページ編集ソフトやファイル転送手段を使いこなせない人でも、容易にホームページの編集を行えるようにすることを目的とする。
【０００８】
【課題を解決するための手段】
本発明に係るホームページ編集方式においては、編集対象となるホームページのＨＴＭＬ文書を編集単位に分割し、分割した編集単位毎に修正画面へのリンク情報と識別情報を付加してＨＴＭＬ文書を再構成し、Ｗｅｂブラウザに編集用ホームページとして表示することで、ホームページの編集者が、マウスのクリックにより、前記編集用ホームページの中から、容易に修正該当部分を指定できることを特徴とするものである。
【０００９】
また、分割した編集単位と識別情報の対応表を保持しておくことにより、マウスのクリックでＷｅｂブラウザから送信された識別情報に対応する編集単位の情報を抽出し、抽出された編集単位の情報を用い、修正用画面としてＷｅｂブラウザに表示し、編集を促すことを特徴とするものである。
【００１０】
また、修正用画面に表示されている編集単位の情報を修正することで、Ｗｅｂサーバに蓄積されているホームページの情報が容易に修正されることを特徴とするものである。
【００１１】
【発明の実施の形態】
以下に、本発明の実施の形態について、図面を参照して説明する。
実施の形態．
図１は、本発明に係る実施の形態の編集用ホームページをＷｅｂブラウザに表示するための構成を示すブロック図である。図１において、本発明の編集用ホームページの表示に係る構成は、ホームページ表示情報蓄積手段４、Ｗｅｂブラウザ５、ホームページ編集要求検出手段１０、ＨＴＭＬ文書読出し手段１１、編集単位切出し手段１２、情報付加手段１３、編集単位識別情報対応表１４、編集用ホームページ表示情報保存手段１５、制御手段１６から成る。
【００１２】
次に、図１に示す本実施の形態の、編集対象となるホームページの情報を読み込み、編集用ホームページとしてＷｅｂブラウザに表示するまでの動作について、以下に具体的に説明する。
【００１３】
先ず、ホームページの編集者は、本発明の機能を提供するＷｅｂサーバにアクセスして、本発明の機能を提供されるホームページを表示する。
【００１４】
続いて、ホームページの編集者は、ホームページ表示情報蓄積手段４の中に存在する編集対象となるホームページを指定する。ホームページを指定する方法としては、ホームページのＵＲＬ（Ｕｎｉｆｏｒｍ  Ｒｅｓｏｕｒｃｅ  Ｌｏｃａｔｏｒ）を直接指定する方法や、本発明の機能を提供するＷｅｂサーバのホームページが、ホームページ表示情報蓄積手段４に蓄積されているホームページの一覧を表示し、その中から選択する方法がある。
【００１５】
編集対象となるホームページが指定されると、ＨＴＭＬ文書読出し手段１１は、ホームページ表示情報蓄積手段４から、指定されたホームページのＨＴＭＬ文書を読み出す。さらに、ホームページ表示情報蓄積手段４の中の編集対象となるホームページの画像情報を、編集用ホームページ表示情報保存手段１５にコピーする。
【００１６】
ＨＴＭＬ文書読出し手段１１に読み出されたＨＴＭＬ文書は、編集単位切出し手段１２により、ＨＴＭＬ文書の先頭から順に編集単位に切り出される。編集単位としては、図形や写真といった画像を指定するファイル名や、文章を構成する段落がある。段落の中の文字に、文字色、文字の大きさ、字体などの文字飾りや他のページへのリンク情報などが指定されている場合、編集単位は、文字飾りやリンク情報を持つ文字列を区切りとして細分化される。
【００１７】
切り出された編集単位は、情報付加手段１３により、編集単位毎に識別情報が付加され、編集単位識別情報対応表１４に保存される。図２に、ホームページの編集者がサンプルホームページ２０を編集対象とした場合の編集単位識別情報対応表１４の内容を示す。情報付加手段１３は、さらに、編集単位毎にＨＴＭＬ言語の文法に従って、修正画面へのリンク情報と識別情報を付加して編集用ホームページを構成し、編集用ホームページ表示情報保存手段１５に保存する。
【００１８】
上記一連の処理完了後、編集用ホームページ表示情報保存手段１５に保存された編集用ホームページ情報が、Ｗｅｂブラウザ５に編集用ホームページとして表示される。
【００１９】
図３は、本発明に係る実施の形態の修正用画面を表示するための構成を示すブロック図である。図３において、本発明の修正用画面の表示に係る構成は、Ｗｅｂブラウザ５、編集単位識別情報対応表１４、識別情報受信手段３０、識別情報記憶手段３１、編集単位抽出手段３２、修正画面構成手段３３、制御手段３４から成る。
【００２０】
次に、図３に示す本実施の形態の、Ｗｅｂブラウザに表示されている編集用ホームページの中の修正該当部分を、ホームページの編集者が、マウスのクリックにより指定した場合の動作について、以下に具体的に説明する。
【００２１】
ホームページの編集者が、マウスのクリックにより編集用ホームページの中に存在する修正該当部分を指定すると、Ｗｅｂブラウザ５は、修正該当部分の編集単位に対応するリンク情報と識別情報を、識別情報受信手段３０に送信する。リンク情報は修正用画面のＵＲＬとなり、識別情報は、ＵＲＬのパラメータとして送信される。
【００２２】
続いて、編集単位抽出手段３２は、識別情報記憶手段３１に保持された識別情報に対応する編集単位を、編集単位識別情報対応表１４から抽出する。抽出された編集単位は、修正画面構成手段３３により修正用画面としての情報を付加された後Ｗｅｂブラウザ５に送信され、修正用画面内の修正可能な領域に表示される。
【００２３】
図４は、本発明に係る実施の形態の修正を反映したホームページを表示するための構成を示すブロック図である。図４において、本発明の修正を反映したホームページの表示に係る構成は、ホームページ表示情報蓄積手段４、Ｗｅｂブラウザ５、編集単位識別情報対応表１４、編集用ホームページ表示情報保存手段１５、修正情報受信手段４０、修正情報書込み手段４１、制御手段４２から成る。
【００２４】
次に、図４に示す本実施の形態の、Ｗｅｂブラウザから受け取った修正情報が編集用ホームページや編集対象となったホームページに反映され、Ｗｅｂブラウザに表示されるまでの動作について、以下に具体的に説明する。
【００２５】
ホームページの編集者が、修正用画面内の修正可能な領域に表示されている情報を修正し、修正完了をＷｅｂブラウザ５に伝えると、Ｗｅｂブラウザ５は、修正済みの情報を、修正情報受信手段４０に送信する。
【００２６】
続いて、修正情報書込み手段４１は、修正情報受信手段４０に記憶された修正済みの情報を、識別情報記憶手段３１に記憶されている識別情報に対応する編集単位として書き込み、さらに、ホームページ表示情報蓄積手段４と編集用ホームページ表示情報保存手段１５内の該当する編集単位として書き込む。修正済みの情報の書込みが完了した編集用ホームページは、Ｗｅｂブラウザ５に送信されて表示される。
【００２７】
修正箇所が未だ残っている場合、ホームページの編集者は、Ｗｅｂブラウザ５に表示されている編集単位の修正該当部分をマウスでクリックして、編集作業を継続する。修正をすべて完了した時点では、ホームページ表示情報蓄積手段４に蓄積されているホームページの修正も完了しているため、ホームページの編集者は、Ｗｅｂブラウザ５に編集済みのホームページを表示して、確認することができる。
【００２８】
このように、本実施の形態では、ホームページの内容を修正する際、ホームページ編集ソフトやファイル転送手段を必要としないため、これらの使い方を知らない人でも、容易にホームページの内容を修正することができる。
【００２９】
前記実施例では、編集単位として、画像情報のファイル名や文字列を想定したが、画像情報や文字列を修飾するための手段を修正用画面に含めることで、画像のサイズ、文字色、文字の大きさ、字体、リンク情報などを変更することも可能である。
【００３０】
また、前記実施例では、切り出した段落の中の文字に、文字色、文字の大きさ、字体などの文字飾りやリンク情報などが指定されている場合、編集単位は、文字飾りやリンク情報を持つ文字列を区切りとして細分化されるとしているが、編集単位を段落とし、文字飾りやリンク情報毎に文字列を区切り、区切った文字列毎に修飾手段を付加し、一ページの修正用画面を構成することも可能である。
【００３１】
また、編集単位を段落とした場合の別の編集方法として、段落を一括して修正し、修正を完了した段落をＷｅｂブラウザに表示後、編集者が選択した文字列に対して、文字色、文字の大きさ、字体などの変更や、リンク情報などの付加を行うことも可能である。
【００３２】
さらに、ここには詳細を記述しないが、ＨＴＭＬ言語の持つ機能を利用すれば、編集用ホームページと編集対象となるホームページの見栄えを同じにすることも可能であり、さらには、罫線の変更など、より柔軟にホームページの修正を行うことも可能である。
【００３３】
【発明の効果】
本発明によるホームページ編集方式によれば、マウスのクリックにより修正該当部分を指定して編集することができるため、ホームページ編集ソフトやファイル転送手段の使い方を知らない人でも、容易にホームページを編集することが可能となる。
【図面の簡単な説明】
【図１】本発明に係る実施の形態の編集用ホームページを表示するための構成を示すブロック図である。
【図２】本発明に係る実施の形態の編集単位識別情報対応表の内容を示す図である。
【図３】本発明に係る実施の形態の修正用画面を表示するための構成を示すブロック図である。
【図４】本発明に係る実施の形態の修正を反映したホームページを表示するための構成を示すブロック図である。
【図５】ホームページを編集する際、従来から一般的に実施されている方法を示した図である。
【符号の説明】
４  ホームページ表示情報蓄積手段、５  Ｗｅｂブラウザ、１２  編集単位切出し手段、１３  情報付加手段、１４  編集単位識別情報対応表、１５  編集用ホームページ表示情報保存手段、３１  識別情報記憶手段、３２  編集単位抽出手段、３３  修正画面構成手段、４０  修正情報受信手段、４１  修正情報書込み手段
【図１】
2004265266.tif 000003
【図２】
2004265266.tif 000004
【図３】
2004265266.tif 000005
【図４】
2004265266.tif 000006
【図５】
2004265266.tif 000007